(57)【要約】本発明は、コンテンツに付与された位置情報と情報受信端末内で検出した現在位置との距離を計算し、計算した距離に基づいてコンテンツの出力方法の制御を行うようにした。これにより、コンテンツの出力方法をコンテンツと情報受信端末との位置関係によって変えることができるので、現在位置とコンテンツとの距離関係が明確になるように表示でき、コンテンツを利用者が選択しやすいようにできる。【特許請求の範囲】
【請求項１】
現在位置情報を検出する位置情報検出部と、検出した前記現在位置情報と位置情報を含む属性情報が付与されたコンテンツの前記位置情報に基づき前記現在位置情報に対応する前記コンテンツを検索するコンテンツ検索部と、検索した前記コンテンツの位置情報と前記現在位置情報との距離に基づき前記検索したコンテンツの出力方法の制御を行う出力制御部と、を備える情報受信端末。
【請求項２】
前記出力制御部は、前記計算した距離が小さい前記コンテンツほど出力する情報を多くする請求項１記載の情報受信端末。
【請求項３】
前記出力制御部は、前記計算した距離が所定の値毎に前記コンテンツの出力方法を変える請求項１記載の情報受信端末。
【請求項４】
前記属性情報は出力優先度情報を含み、
前記コンテンツ検索部が前記出力優先度情報に基づき前記コンテンツを検索する請求項１に記載の情報受信端末。
【請求項５】
前記属性情報は、出力優先度情報を含み、
前記出力制御部が前記出力優先度情報に基づき前記コンテンツの出力方法の制御を行う請求項１に記載の情報受信端末。
【請求項６】
前記コンテンツ検索部は、優先度を持つ検索キーを複数持ち、前記優先度の高い検索キーの順に所定の検索結果数になるまで前記コンテンツの検索を行う請求項１に記載の情報受信端末。
【請求項７】
前記属性情報は、放送局を区別するための放送局ＩＤを含み、
前記出力制御部が前記放送局を区別する情報に基づき前記コンテンツの出力方法の制御を行う請求項１に記載の情報受信端末。
【請求項８】
前記出力方法の制御は、表示方法の制御である請求項１記載の情報受信端末。
【請求項９】
移動速度を検出する速度情報検出部を具備し、
前記コンテンツ検出部は、前記位置情報検出部が検出した前記現在位置情報、前記速度情報検出部が検出した前記移動速度、および前記コンテンツの前記位置情報に基づき前記現在位置情報に対応する前記コンテンツを検索し、
前記出力制御部は、検索した前記コンテンツの位置情報から前記現在位置情報までの到着予想時間に基づき前記検索したコンテンツの出力方法の制御を行う請求項１記載の情報受信端末。
【請求項１０】
前記出力制御部は、前記計算した到着予想時間が小さい前記コンテンツほど出力する情報を多くする請求項９記載の情報受信端末。
【請求項１１】
前記出力制御部は、前記計算した到着予想時間が所定の値毎に前記コンテンツの出力方法を変える請求項９記載の情報受信端末。
【請求項１２】
コンテンツのアドレスおよび位置情報を含む属性情報からなるコンテンツ情報を蓄積管理するコンテンツ情報管理部と、現在位置情報を検出する位置情報検出部と、検出した前記現在位置情報と前記コンテンツの前記位置情報に基づき前記コンテンツ情報を検索するコンテンツ情報検索部と、検索した前記コンテンツ情報に含まれる位置情報と前記現在位置情報との距離に基づき前記検索したコンテンツ情報に関連する前記コンテンツを受信するコンテンツ受信制御部と、前記計算した距離に基づき前記検索したコンテンツ情報もしくは前記コンテンツ情報に関連するコンテンツの少なくとも一方の出力方法の制御を行う出力制御部と、を備えることを特徴とする情報受信端末。
【請求項１３】
コンテンツを蓄積するコンテンツ蓄積部と、前記コンテンツに付与する位置情報を含む属性情報を管理する属性情報管理部と、前記属性情報を前記コンテンツに付与して送信するコンテンツ送信部と、から構成される情報送信サーバと、請求項１記載の情報受信端末とを具備し、
前記情報受信端末が前記情報送信サーバから送信された前記属性情報が付与された前記コンテンツを受信する情報配信システム。
【発明の詳細な説明】
【技術分野】
【０００１】  本発明は情報を受信する情報受信端末および情報配信システムに関するものである。
【背景技術】
【０００２】  従来の情報配信システムとしては、移動端末に対して地域に密着した情報を提供することを目的として、地域情報に関連付けられた位置と、移動端末の現在位置との距離に応じて異なる情報を配信するものがあった（例えば、特許文献１参照）。【０００３】  この従来技術は、情報送信サーバに発信範囲が異なる地域情報を複数登録する。そして、情報送信サーバは、移動端末の位置情報を受信した場合に、移動端末の位置情報と地域情報に関連付けられた位置情報との距離を計算する。次に、情報送信サーバは、端末距離に応じた地域情報を移動端末に対して送信する。言い換えると、情報送信サーバが、移動端末の位置に対応する地域情報を送信する。【０００４】
【特許文献１】特開２００１−２３８２６６号公報
【発明の開示】
【発明が解決しようとする課題】
【０００５】  しかしながら、従来の構成は、地域情報をランダムに表示するだけなので、地域情報の位置関係が分からない。すなわち、どの地域情報が最も現在位置に近いのかがわからないという課題がある。【０００６】  本発明の目的は、現在位置と地域情報との距離関係が明確になるようにすることにより、地域情報を利用者が選択しやすいようにすることを可能とした情報受信端末および情報配信システムを提供することである。
【課題を解決するための手段】
【０００７】  本発明は、コンテンツに付与された位置情報と情報受信端末内で検出した現在位置との距離を計算し、計算した距離に基づいてコンテンツの出力方法の制御を行うようにした。
【発明の効果】
【０００８】  本発明によれば、コンテンツの出力方法をコンテンツと情報受信端末との位置関係によって変えることができる。これにより、現在位置とコンテンツとの距離関係が明確になるように表示できるので、コンテンツを利用者が選択しやすいようにできる。
【図面の簡単な説明】
【０００９】
【図１】本発明の実施の形態１における情報配信システムの構成図
【図２】実施の形態１にかかる放送の形態を説明する図
【図３】実施の形態１におけるコンテンツの属性情報の例を示す図
【図４】実施の形態１にかかるコンテンツの表示の例を示す第１の図
【図５】実施の形態１にかかるコンテンツの表示の例を示す第２の図
【図６】実施の形態１にかかる情報受信端末のコンテンツ表示処理のフローチャート
【図７】実施の形態１にかかるコンテンツ検索部のコンテンツ検索処理のフローチャート
【図８】実施の形態１にかかる出力制御部のコンテンツ表示制御のフローチャート
【図９】実施の形態２にかかる情報配信システムの構成図
【図１０】実施の形態２にかかる通信コンテンツに関するコンテンツ情報の例を示す図
【図１１】本発明の実施の形態２における情報配信システムの別の構成を示す図
【発明を実施するための最良の形態】
【００１０】  以下、本発明の実施の形態について、図面を参照しながら説明する。【００１１】  （実施の形態１）
本発明の実施の形態１における情報配信システムの構成について図１を用いて説明する。図１は、本発明の実施の形態１における情報配信システムの構成図である。【００１２】  図１において、情報送信サーバ１００は情報受信端末１１０に対してコンテンツを放送する。利用者１３０は、情報受信端末１１０が受信したコンテンツを視聴する。【００１３】  情報送信サーバ１００が使用する放送手段としては、主に地上波放送や衛星放送、無線ＬＡＮや携帯電話などの電波を用いることが考えられるが、赤外線など他の放送媒体を用いてもよい。また、放送手段は、無線に限定されず、インターネットやケーブルテレビを含む有線による放送手段を用いてもよい。また、放送範囲は、地上波放送のように半径数十キロメートル以上の広範囲でもよいし、図２に示すように、半径数十メートルから数キロメートルでもよい。【００１４】  図２で示す放送の形態の具体例としては、ミニＦＭ局や携帯電話の基地局などが挙げられる。図２の例では、半径数十メートルから数キロメートルの放送範囲３０１の中にある情報受信端末３０２に対して、コンテンツを放送する複数の放送局３０３〜３０５が存在する。【００１５】  また、情報送信サーバ１００と情報受信端末１１０とが同一の端末内に存在し、コンテンツの送受信を伴わずに同一端末内で処理する場合もあり得る。【００１６】  次に、情報送信サーバ１００の構成について説明する。情報送信サーバ１００は、コンテンツを保持するコンテンツデータベース１０３を有する。また、情報送信サーバ１００には、コンテンツデータベース１０３に保持されたコンテンツに対し、対応する属性を付与する属性付与部１０２が設けられている。属性付与部１０２は、属性を付与したコンテンツをコンテンツ送信部１０１に送り、コンテンツ送信部１０１が情報受信端末１１０に送信する。【００１７】  属性付与部１０２が付与する属性としては、位置情報、カテゴリ、有効期間、優先度、放送局ＩＤ、到着予想時間等がある。【００１８】  位置情報は、地理的位置情報であり、例として緯度、経度の値がある。コンテンツが商店の広告情報や観光地の観光案内情報などである場合、位置情報は商店や観光地の位置を示す。【００１９】  カテゴリは、コンテンツの種類を示し、「広告」「観光案内」といったコンテンツの分類のほか、「レストラン」「食料品」など広告主の商店の種類、あるいは商店の名称、観光地の名称などがあり得る。あるいは、カテゴリは、そのコンテンツを見せたい利用者の分類である年齢や性別、職業などであってもよい。【００２０】  有効期間は、そのコンテンツを表示すべき日時を示し、有効期間の開始日時または時刻、終了日時または時刻を記載すればよい。【００２１】  優先度は、コンテンツを表示する際の優先度であり、送信側である情報送信サーバ１００にとってのコンテンツの重要度を表すことができる。表現としては「高」「中」「低」で表現してもよいし、あるいは例として５を高優先度、１を低優先度として数値で表現してもよい。例えば、広告を優先的に表示させ、観光案内は重要度を下げてもよいし、広告間でも商店の種類によって異なった重要度を付与することもできる。【００２２】  放送局ＩＤは、送信する��送局や表示する放送局を区別できる識別子で、それを確認することによりコンテンツがどの放送局から送信されているか（現在位置がどの放送局の放送エリアか）、またそのコンテンツをどの放送局の放送エリアで表示すべきかが確認できる。【００２３】  また、到着予想時間は、情報受信端末１１０が位置情報の位置までに到着するまでの時間を示す。到着予想時間により、どのコンテンツを表示するか選択するようになっている。【００２４】  以上の属性は、コンテンツに付帯されたデータとして送信される。また送信する放送局のＩＤは、送信する周波数によって区別してもよい。【００２５】  次に、属性をＸＭＬで記述した例について、図３を用いて説明する。ＸＭＬは、ｅＸｔｅｎｓｉｂｌｅ  Ｍａｒｋｕｐ  Ｌａｎｇｕａｇｅの略であり、その詳細はウェブページｈｔｔｐ：／／ｗｗｗ．ｗ３．ｏｒｇを参照されたい。また、図３における各行の左端の数字は説明のための行番号である。【００２６】  行４０１はこの記述がＸＭＬで記述されていることを示す。行４０２＜Ｃｏｎｔｅｎｔ＞から行４１６＜／Ｃｏｎｔｅｎｔ＞で囲まれた行がコンテンツの属性を示す。行４０３＜Ｔｉｔｌｅ＞はコンテンツのタイトルであり花屋の広告であることを示している。行４０４＜Ａｂｓｔｒａｃｔ＞はコンテンツの要約を示す。行４０５＜Ｌｏｃａｔｉｏｎ＞は地理的位置を示し、広告主である花屋の位置を示す。行４０６＜Ｓｔａｔｉｏｎ＞はそのコンテンツが放送される放送局名を、行４０７＜Ｃｈａｎｎｅｌ＞はそのコンテンツが放送されるチャンネルを示す。放送局名「Ｓｔａｔｉｏｎ  ５」は図２の放送局Ｓｔａｔｉｏｎ５（３０５）を示すものとする。【００２７】  行４０８＜Ｓｔａｒｔ＞、行４０９＜Ｅｎｄ＞は放送開始時刻および放送終了時刻を表す。【００２８】  なお、既知の放送局およびチャンネルで何らかのコンテンツを受信している場合はすでに放送局やチャンネル、放送時間帯がわかっているので、行４０６から行４０９まではなくてもよい。【００２９】  行４１０＜Ｖａｌｉｄ＿Ｓｔａｔｉｏｎ＞はそのコンテンツが有効となる放送局名を示す。放送局名「Ｓｔａｔｉｏｎ３」は図２の放送局Ｓｔａｔｉｏｎ３（３０３）を示すものとする。【００３０】  行４１１＜Ｖａｌｉｄ＿Ｓｔａｒｔ＞、行４１２＜Ｖａｌｉｄ＿Ｅｎｄ＞はそのコンテンツを表示できる有効期間の開始時刻および終了時刻を表す。放送時間帯にすでに有効期間が始まっている場合、行４１１はなくてもよい。【００３１】  行４１３＜Ｃａｔｅｇｏｒｙ＞はそのコンテンツのカテゴリを示し、行４１４＜Ｐｒｉｏｒｉｔｙ＞は重要度が高いことを示す。【００３２】  行４１５＜Ａｒｒｉｖａｌ  ｕｎｉｔ＝”ｍｉｎｕｔｅ”＞は、到着予想時間を示し、ここに記載されている時間に到着が予想される場合は、このコンテンツを選択することを示している。図３の例では、０−３分の間に到着が予想される場合は、図３に示すコンテンツが選択されることを示す。【００３３】  次に、情報受信端末１１０の構成について、図１を用いて説明する。【００３４】  情報受信端末１１０には、情報送信サーバ１００からコンテンツおよびその属性情報を受信し、受信コンテンツ管理部１１２に記録するコンテンツ受信部１１１が設けられている。受信コンテンツ管理部１１２は、コンテンツおよびその属性情報を記録、管理する手段である。【００３５】  また、情報受信端末１１０には、情報受信端末１１０の現在位置を検出する位置情報検出部１１７が設けられている。位置情報検出部１１７の現在位置の検出方法としては、ＧＰＳ（Ｇｌｏｂａｌ  Ｐｏｓｉｔｉｏｎｉｎｇ  Ｓｙｓｔｅｍ）が考えられる。また、位置情報検出部１１７は、携帯電話やＰＨＳ（Ｐｅｒｓｏｎａｌ  Ｈａｎｄｙｐｈｏｎｅ  Ｓｙｓｔｅｍ）などの基地局から位置を表すＩＤ情報を受信して位置情報としてもよい。そして、位置情報検出部１１７は、検出した位置情報を検出情報管理部１１５に送り、検出情報管理部１１５が管理する。【００３６】  また、情報受信端末１１０には、現在時刻を検出する時刻情報検出部１１６が設けられている。時刻情報検出部１１６は、検出した時刻情報を検出情報管理部１１５に送り、検出情報管理部１１５が時刻情報を管理する。【００３７】  また、情報受信端末１１０には、情報受信端末１１０の移動速度を検出する速度情報検出部１２１が設けられている。速度情報検出部１１６は、検出した移動速度を検出情報管理部１１５に送り、検出情報管理部１１５が移動速度を管理する。速度情報検出部１１６は、速度メータなどの汎用の速度検出手段である。【００３８】  また、検出情報管理部１１５は、検出した現在位置情報や現在時刻の履歴情報も用いることにより、情報受信端末１１０の移動情報を検出するようにしても良い。例えば、以前の位置情報と現在の位置情報との差を計算することによって移動距離や移動方向を検出することができる。【００３９】  また、速度情報検出部１１６は、検出情報管理部１１５が検出した現在位置情報と現在時刻の履歴情報を用いることにより、移動距離とそれにかかった時間（時刻情報の差）を計算することによって移動速度を検出してもよい。【００４０】  また、情報受信端末１１０には、情報受信端末１１０の利用者１３０の趣味などを登録する登録情報管理部１１４が設けられている。【００４１】  また、情報受信端末１１０には、受信コンテンツ管理部１１２が管理するコンテンツから表示するコンテンツを検索するコンテンツ検索部１１３が設けられている。コンテンツ検索部１１３は、表示コンテンツの対象として、広告や観光案内など位置に関連するコンテンツのうち、情報受信端末１１０の現在位置に近いものを検索して表示する。また、コンテンツ検索部１１３は、登録情報管理部１１４に登録されている利用者１３０の趣味などの情報をコンテンツの検索条件として用いてもよい。【００４２】  また、情報受信端末１１０には、コンテンツの距離やコンテンツの存在方向を含む属性情報を用いて、コンテンツ表示の仕方を制御する出力制御部１１８が設けられている。出力制御部１１８は、表示方法を制御した結果である表示画面を出力部１１９に出力し、出力部１１９がこれを出力する。【００４３】  出力制御部１１８の、コンテンツの表示方法の例としては、次のものが考えられる。（１）コンテンツの全体（２）コンテンツの一部（３）コンテンツの要約（４）コンテンツのタイトル（５）表示の順番（６）一覧表示か１つずつ順次表示
このように、出力制御部１１８は、距離の近いコンテンツほど多くの情報を表示する。出力制御部１１８の、コンテンツ表示の例を図４に示す。図４は情報受信端末１１０の表示画面の例を示したものである。【００４４】  図４に示す表示画面４０の上部には、情報受信端末１１０周辺の地図４００が配置されている。地図４００中の黒丸４０１は情報受信端末の現在位置を、地点１（４０５）、地点２（４０６）、地点Ａ（４０７）、地点Ｂ（４０８）は商店や施設の位置を示す。【００４５】  表示画面４０の下部には、各地点４０５〜４０８に対する広告４０２〜４０４が、情報受信端末４０１との距離が短い順に表示されている。【００４６】  これにより、利用者１３０は、表示順からコンテンツ（広告）との位置関係を認識できる。【００４７】  地点１（４０５）および地点２（４０６）は、情報受信端末４０１に近いため、それぞれの広告４０２、４０３には、名前と要約が表示されている。一方、地点Ａ（４０７）および地点Ｂ（４０８）は、情報受信端末４０１から離れているため、それぞれの広告４０４には名前のみが表示されている。【００４８】  また、広告４０２〜４０４は、情報受信端末４０１から近い順に一覧表示されている。また、図５に示すよう表示画面５００のように、情報受信端末４０１に近い地点１（４０５）の広告５０１として、対応するコンテンツ全体を表示するようにしても良い。表示画面５００の場合、情報受信端末４０１から二番目に遠い地点２（４０６）に関する広告４０３）については、図４に示す表示画面４００と同様に名前および要約を表示する。なお、情報受信端末４０１から二番目に遠い地点２（４０６）に関する広告（４０３）については、対応するコンテンツの一部（静止画、ダイジェスト映像など）のみを表示する用にしても良い。【００４９】  このように、出力制御部１１８は、情報受信端末４０１との距離が近いコンテンツほどより多くの情報を表示するような、広告の表示方法の制御を行う。これにより、利用者１３０は、広告の表示方法に基づいてコンテンツとの位置関係を把握できる。また、利用者１３０は、周辺のコンテンツ、つまり必要性の高いコンテンツに対してはより多くの情報を得ることができる。【００５０】  また、出力制御部１１８は、コンテンツの順番だけでなく、予め決めておいた距離に応じてコンテンツの表示方法を変えても良い。例えば、情報受信端末４０１との距離が５００ｍ以内のコンテンツはコンテンツ全体を表示するようにし、５００ｍから１ｋｍ以内のコンテンツに対してはコンテンツの一部、１ｋｍ〜３ｋｍの範囲のコンテンツに対しては名前と要約、３ｋｍ〜５ｋｍの範囲のコンテンツに対しては名前だけというふうに表示方法を変えても良い。【００５１】  出力部１１９は、モニタなどの表示装置である。なお、出力部１１９は、表示以外の出力、例えば音声などを出力しても良い。【００５２】  また、情報受信端末１１０には、操作入力部１２０が設けられている。操作入力部１２０は、出力部１１９の表示を見た利用者１３０が、所望のコンテンツを選択したり、表示方法の変更をしたりするという操作に関する情報を入力する部分である。【００５３】  次に、情報受信端末１１０のコンテン���表示処理について、図６を用いて詳細に説明する。図６は、実施の形態１にかかる情報受信端末１１０のコンテンツ表示処理のフローチャートである。【００５４】  まず、情報受信端末１１０は、コンテンツ受信部１１１において、情報送信サーバ１００から送られてきたコンテンツを受信する（ＳＴ６０１）。【００５５】  次に、情報受信端末１１０は、コンテンツ検索部１１３において、ＳＴ６０１において受信したコンテンツから、現在位置に対応するコンテンツを検索する（ＳＴ６０２）。なお、ＳＴ６０２の処理の詳細については後述する。【００５６】  次に、情報受信端末１１０は、出力制御部１１８において、ＳＴ６０２において検索したコンテンツに対し、その距離に応じた表示方法を選択し、選択した表示方法に制御したコンテンツを出力部１１９に出力する（ＳＴ６０３）。そして、出力部１１９が送られてきたコンテンツを表示する（ＳＴ６０４）。なお、ＳＴ６０３の処理の詳細については後述する。【００５７】  次に、コンテンツ検索部１１３のコンテンツ検索処理（ＳＴ６０２）の処理について、図７を用いて詳細に説明する。【００５８】  まず、コンテンツ検索部１１３は、受信コンテンツ管理部１１２で管理されているコンテンツに対して、付与されている属性情報の位置情報と検出情報管理部１１５が管理する現在位置情報とから距離を計算する（ＳＴ７０１）。【００５９】  そして、ＳＴ７０１において計算した距離が所定の距離より値が小さければ、コンテンツ検索部１１３は、近い距離のコンテンツであると判定し（ＳＴ７０２）、表示コンテンツの候補とする（ＳＴ７０３）。また、コンテンツ検索部１１３は、ＳＴ７０１において計算した距離が所定の距離以上であれば、そのコンテンツを表示コンテンツの候補から外す。【００６０】  そして、コンテンツ検索部１１３は、受信コンテンツ管理部１１２で管理されている全てのコンテンツに対して、ＳＴ７０１〜ＳＴ７０３の処理を行い（ＳＴ７０４）、表示コンテンツの候補を決定する。【００６１】  所定の距離は、常に一定の値であってもよいし、情報受信端末１１０の移動速度に応じて変化してもよい。移動速度が小さいときに所定の距離を小さく、移動速度が大きいときに所定の距離を大きく設定することにより、移動速度に応じた範囲のコンテンツを選択することができる。【００６２】  また、コンテンツ検索部１１３は、距離の代わりに到着予想時間によってコンテンツを検索してもよい。その場合、コンテンツ検索部１１３は、受信コンテンツ管理部１１２で管理されているコンテンツに対して、コンテンツに付与されている属性情報の位置情報と、検出情報管理部１１５が管理する現在位置情報及び速度情報から、現在位置からコンテンツに関連付けられた位置までの到着予想時間を計算する。そして、コンテンツ検索部１１３は、計算した時間に対応する到着予定時間（図３の４１５行）が付与されているコンテンツを表示コンテンツの候補とする。また、コンテンツ検索部１１３は、到着予想時間を以下の式で計算する。【００６３】  （到着予想時間）＝（現在位置からコンテンツに関連付けられた位置までの距離）÷（速度情報）
次に、コンテンツ検索部１１３は、ＳＴ７０４において検索した表示コンテンツの候補数が所定の数より多いか判断し（ＳＴ７０５）、多ければ候補のコンテンツ全てに対して（ＳＴ７０６）、他の検索条件を用いて件数の絞り込みを行う（ＳＴ７０７）。【００６４】  一方、ＳＴ７０５において、コンテンツ検索部１１３は、表示コンテンツの候補数が所定の数より少ない場合はコンテンツ検索処理を終了する。【００６５】  なお、コンテンツを検索する検索条件の他の例としては、コンテンツの存在方向、コンテンツの有効期間、優先度、カテゴリなどが考えられる。【００６６】  コンテンツの存在方向は、前の位置から現在位置へのベクトルを移動ベクトルとし、現在位置からコンテンツまでのベクトルをコンテンツベクトルとすると、
ｃｏｓθ＝（移動ベクトルとコンテンツベクトルとの内積）／（（移動ベクトルの大きさ）×（コンテンツベクトルの大きさ））で移動方向とコンテンツの存在方向との角度θが得られる。【００６７】  これにより、コンテンツが移動方向に対してどちらに存在するかが計算できる。すなわち、コンテンツが、情報受信端末１１０の移動に対して前方にあるか後方にあるかがわかるので、前方にある（近づきつつある）コンテンツを選択することが可能となる。【００６８】  コンテンツの有効期間は、現在時刻が有効期間内にあるコンテンツを選択してもよいし、有効期間に入る以前のコンテンツをも含めて選択してもよい。これにより、これから有効になるコンテンツも予告的に表示することが可能となる。【００６９】  優先度によりコンテンツを選択することにより、送信側が重要と考えるコンテンツを優先的に選択することができる。【００７０】  カテゴリについては、例えば情報受信端末１１０の利用者１３０の趣味などを登録情報管理部１１４に登録しておき、検索条件として用いてもよい。これにより、花の好きな利用者にとっては花に関する情報（例えば花屋の情報）を選択することができる。また、検出情報管理部１１５の検索条件を、例えば時刻情報に置き換えてもよい。例えば現在時刻が午後０時半だった場合、昼食の時間帯なのでカテゴリとして「レストラン」を生成し、検索に用いることによって、レストラン情報を昼食時に選択することができる。【００７１】  また、ＳＴ７０６における検索処理は、所定の検索数になるまで検索キーを順番に用いてもよいし、最初から複数の検索キーを用いて検索してもよい。前述の説明では始めに距離で検索を行ったが、始めに別の検索キーを用いてもよい。コンテンツに対して計算した距離やコンテンツ存在方向はあとの処理で使用するためコンテンツに属性として追加する。【００７２】  また、コンテンツ検索部１１３は、優先度を持つ検索キーを複数持ち、優先度の高い検索キーを順に用いて所定の検索結果数になるまでコンテンツの検索を行う用にしても良い。これによれば、優先度の高い検索キーで検索される属性を持つコンテンツを優先的に選択して表示するコンテンツの数を限定することができる。【００７３】  このように、コンテンツ検索部１１３は、位置情報検出部１１７が検出し検出情報管理部１１５が管理する位置情報とコンテンツに付与された属性情報に基づき登録情報管理部１１４が蓄積管理するコンテンツから表示するコンテンツを検索する。【００７４】  次に、出力制御部１１８のコンテンツ表示制御（ＳＴ６０３）の処理について、図８を用いて詳細に説明する。【００７５】  まず、出力制御部１１８は、図６のコンテンツ検索処理（ＳＴ６０２）において、検索した表示するコンテンツを、表示するコンテンツに付与されている属性情報の位置情報と検出情報管理部１１５が管理する現在位置情報との距離の短い順にソートする（ＳＴ８０１）。【００７６】  なお、ＳＴ８０１において、出力制御部１１８は、距離の長い順に、表示するコンテンツをソートしても良い。【００７７】  また、ＳＴ８０１において、出力制御部１１８は、単純に距離だけでなく、移動方向、移動速度、距離との関係を用いて表示するコ��テンツをソートしてもよい。例えば、出力制御部１１８は、移動方向前方のコンテンツについては多少距離が離れていても近いと判断したり、移動方向後方のコンテンツに対しては距離が近くても遠いと判断したりする。これにより、移動方向に即した距離感の判定が可能になる。つまり、近づいている位置に対応するコンテンツは近く、遠ざかる位置に対応するコンテンツは遠くと判断できる。【００７８】  また、ＳＴ８０１において、出力制御部１１８は、到着予想時間順にコンテンツをソートしても良い。このように、実際の距離ではなく、到着予想時間順にコンテンツをソートすることにより、そのときの移動速度で移動することによって実際に有効になると思われる順にコンテンツを並べることができる。【００７９】  次に、出力制御部１１８は、ＳＴ８０１においてソートした距離の一番短いコンテンツに付与されている属性情報の位置情報と検出情報管理部１１５が管理する現在位置情報との距離が所定の距離以下であるか判断する。そして、出力制御部１１８は、この距離が所定の距離以下である場合は、対応するコンテンツを周辺のコンテンツと判断する（ＳＴ８０２）。【００８０】  次に、出力制御部１１８は、周辺のコンテンツに対しては、周辺のコンテンツ用の表示方法を選択し（ＳＴ８０３）、距離が離れている（周辺でない）コンテンツに対しては距離が離れているコンテンツ用の表示方法を選択する（ＳＴ８０４）。【００８１】  例えば、周辺のコンテンツに対して、コンテンツ全体を表示し、距離の離れているコンテンツはコンテンツの名前、要約などコンテンツの一部を表示するように制御する。【００８２】  これにより、出力制御部１１８は、距離の近いコンテンツほどより多くの情報を表示するような、広告の表示方法の制御を行うことができる。この結果、利用者１３０は、広告の表示方法に基づいてコンテンツとの位置関係を把握できる。また、利用者１３０は、周辺のコンテンツ、つまり必要性の高いコンテンツに対してはより多くの情報を得ることができる。【００８３】  また、図８のフローでは、コンテンツを周辺のコンテンツと距離が離れているコンテンツというように２段階に分けて表示する制御を行うが、予め決めておいた距離に応じてコンテンツの表示方法を２段階以上に変えるようにしても良い。例えば、出力制御部１１８は、距離が５００ｍ以内のコンテンツはコンテンツ全体を表示するようにし、５００ｍから１ｋｍ以内のコンテンツに対してはコンテンツの一部、１ｋｍ〜３ｋｍの範囲のコンテンツに対しては名前と要約、３ｋｍ〜５ｋｍの範囲のコンテンツに対しては名前だけというふうに表示方法を変えても良い。これにより、利用者１３０は、コンテンツとの距離をより細かく認識することができる。【００８４】  なお、コンテンツに付与された位置情報と現在位置との距離に応じてコンテンツの表示方法を制御するのではなく、コンテンツに付与された位置への到着予想時刻に応じて表示方法を制御するようにしても良い。すなわち、近くのコンテンツほど多くの情報を表示するのではなく、到着予想時間が短いコンテンツほど多くの情報を表示するようにしてもよい。これにより、実際に有効となると思われるコンテンツほど多くの情報が表示される。この結果、利用者は、そのときの移動速度で移動することによってすぐに有効になると思われるコンテンツの情報をより多く得ることができる。【００８５】  次に、出力制御部１１８は、ＳＴ８０３もしくはＳＴ８０４において選択した表示方法を用いた表示画面を生成し、出力部１１９に出力する（ＳＴ８０５）。【００８６】  そして、出力制御部１１８は、ＳＴ８０１においてソートした表示コンテンツの距離の短い方から長い方へ順に全ての表示コンテンツに対してＳＴ８０２〜ＳＴ８０５の処理を行い（ＳＴ８０６）、処理を終了する。【００８７】  このように、出力制御部１１８が、表示するコンテンツを情報受信端末１１０との距離の短い順に並べて出力することにより、利用者１３０に表示コンテンツとの位置関係を視覚的に認識させることができる。【００８８】  また、出力制御部１１８が、表示するコンテンツを情報受信端末１１０との距離に応じて異なる表示をするように制御することにより、利用者１３０は表示方法からも表示コンテンツとの距離を把握できる。また、距離の近い表示コンテンツほど表示する情報量を多くすることにより、利用者１３０に必要性の高いコンテンツの情報をより多く提示することができる。【００８９】  以上説明したように、実施の形態１によれば、コンテンツの提示のしかたをコンテンツと情報受信端末との位置関係によって変えることができる。これにより、現在位置とコンテンツとの距離関係が明確になるように表示できるので、コンテンツを利用者が選択しやすいようにできる。また、情報受信端末１１０側において、コンテンツの出力の仕方を切り替えるので、放送コンテンツを受信する場合であっても、コンテンツの出力を切り替えられる。【００９０】  なお、利用者１３０が、出力部１１９の出力画面でコンテンツのタイトルや要約を見てコンテンツを選択し、コンテンツ全体を視聴できるようにしても良い。【００９１】  また、実施の形態１では、コンテンツとの距離に応じて表示方法を変える形態で説明したが、コンテンツとの距離に応じて出力する音声などを変えても良い。【００９２】  また、実施の形態１では、情報受信端末１１０からの距離が所定の距離より近いか否かに応じてコンテンツの表示の切り替えをする形態で説明したが、情報受信端末１１０からの距離の近い順に所定数ずつコンテンツの表示方法を変える形態であっても良い。この場合は、出力部１１９の表示情報量に応じて所定数を変えることが好ましい。【００９３】  また、送信者が優先度をコンテンツに付与し、情報受信端末１１０が高い優先度が付与されたコンテンツの表示順や表示量を変更するようにしても良い。これにより、優先度の高いコンテンツを優先的に表示することができる。【００９４】  また、出力制御部１１８は、放送局を区別するための放送局ＩＤに基づきコンテンツの出力方法の制御を行うようにしても良い。これにより、表示対象とする放送エリアではないエリアで受信したコンテンツを、表示対象とするエリアに移動した際に直ちに表示することが可能となる。【００９５】  また、コンテンツを表示する場合に、２画面にしてもよい。例えば、車のフロント側の表示画面とリア側の表示画面の２画面に分割しても良い。こ��場合は、リア側の表示画面には、現在位置に非常に近いものは表示しないようにする。これにより、リア側の表示画面で近接したコンテンツを見た人が、近接したコンテンツを見たいと運転手に要望をし、運転手が急激にハンドルを操作するなどの危険な行為をすることを防止できる。【００９６】  （実施の形態２）
次に、本発明の実施の形態２にかかる情報配信システムについて説明する。図９は、実施の形態２にかかる情報配信システムの構成図である。なお、図９において、図１と同じ構成要素については同じ符号を用い、説明を省略する。【００９７】  実施の形態２にかかる情報配信システムが実施の形態１にかかる情報配信システムと異なるのは、実施の形態１では情報送信サーバ１００が属性情報を付帯するコンテンツを放送で配信するのに対し、実施の形態２では情報送信サーバ２００がコンテンツの属性情報のみを放送し、属性情報に基づきコンテンツの実体を別途通信により受信する点である。【００９８】  以下、具体的に実施の形態２にかかる情報配信システムについて説明する。【００９９】  情報送信サーバ２００は、コンテンツデータベース１０３が管理するコンテンツに対して属性付与部１０２において属性を付与してコンテンツ情報を生成する。次に、コンテンツ情報管理部２０２は、属性付与部１０２が生成したコンテンツ情報を管理する。そして、コンテンツ情報送信部２０１は、コンテンツ情報管理部２０２が管理するコンテンツ情報を放送し、情報受信端末２１０がそれを受信する。【０１００】  情報受信端末２１０は、情報送信サーバ２００から送信されるコンテンツ情報をコンテンツ情報受信部２１１で受信し、コンテンツ情報管理部２１２で蓄積管理する。ここで、情報受信端末２１０が受信し蓄積管理するコンテンツ情報には、コンテンツの実体は含まれない。【０１０１】  次に、コンテンツ検索部１１３が、コンテンツ情報管理部２１２が管理するコンテンツ情報を実施の形態１で説明したのと同様の方法で検索する。【０１０２】  次に、出力制御部１１８は、検索結果に応じて、実施の形態１と同様に、タイトル、要約などの出力制御を行い、出力部１１９に出力する。【０１０３】  しかし、コンテンツ検索部１１３の検索結果は、コンテンツ情報のみであり、コンテンツの実体は含まない。よって、コンテンツの実体の全てまたは一部を表示するコンテンツについては、コンテンツ選択部２１３が表示すべきコンテンツを選択し、コンテンツ情報の記述に基づきコンテンツ受信部１１１で受信して出力制御部１１８で出力制御を行う。【０１０４】  また、コンテンツ受信部１１１は指定された放送局、チャンネル、放送時刻に基づき放送を受信してもよいし、指定されたサーバおよびファイル名に基づき通信で取得してもよい。【０１０５】  放送コンテンツに関するコンテンツ情報の例としては図３が挙げられる。情報受信端末２１０が、距離の条件によりコンテンツの実体を表示する場合は、コンテンツ受信部１１１は、行４０６＜Ｓｔａｔｉｏｎ＞に記載される放送局、行４０７＜Ｃｈａｎｎｅｌ＞に記載される放送チャンネル、行４０８＜Ｓｔａｒｔ＞に記載される放送開始時刻、行４０９＜Ｅｎｄ＞に記載される放送終了時刻に基づきコンテンツを受信すればよい。【０１０６】  また、通信コンテンツに関するコンテンツ情報の例としては図１０が挙げられる。図１０に示す通信コンテンツが図４に示す放送コンテンツと異なるのは行４０６〜４０９の代わりに行６０６が記載されている点である。【０１０７】  情報受信端末２１０が、距離の条件によりコンテンツの��体を表示する場合は、コンテンツ受信部１１１は、行６０６＜ＵＲＬ＞に記載されたアドレスに基づきコンテンツ送信要求をサーバに送信し、コンテンツを取得する。コンテンツを取得するためのプロトコルとして代表的なものにＦＴＰ、ＨＴＴＰが挙げられる。【０１０８】  以上説明したように、実施の形態２によれば、情報受信端末２１０がコンテンツまでの距離を含むコンテンツの属性情報に基づいて表示するコンテンツ情報を選択でき、選択したコンテンツ情報の実体であるコンテンツを別途取得して、取得したコンテンツを距離に応じた表示方法で表示することができる。【０１０９】  また、実施の形態２によれば、情報送信サーバ２００がコンテンツの属性情報のみを放送し、属性情報に基づきコンテンツの実体を別途通信により受信することができる。これにより、情報受信端末２１０は距離に応じて表示に必要なコンテンツのみを通信により受信でき、放送の伝送帯域を節約することができる。【０１１０】  なお、利用者１３０に出力部１１９の出力を参照させて内容を参照するコンテンツを選択させ、選択されたコンテンツの属性情報をコンテンツ選択部２１３で抽出してコンテンツ受信部１１１でコンテンツを受信し、出力するようにしても良い。【０１１１】  また、実施の形態２では、情報送信サーバ２００がコンテンツ情報送信部２０１とコンテンツ送信部１０１の双方を有した形態で説明したが、図１１に示すように、コンテンツ情報送信部２０１とコンテンツ送信部１０１とを別の送信サーバが有する形態であっても良い。【０１１２】  図１１の例では、コンテンツ情報送信サーバ７００は、コンテンツ情報を蓄積するコンテンツ情報データベース７０３からコンテンツ情報を属性付与部１０２、コンテンツ情報管理部２０２、コンテンツ情報送信部２０１を介して情報受信端末２１０に送信する。【０１１３】  また、情報送信サーバ７１０は、コンテンツの実体のみを蓄積するコンテンツデータベース１０３からコンテンツを、コンテンツ送信部１０１を介して情報受信端末２１０に送信する。なお、図１１の例では、複数の情報送信サーバ７１０、７１１が存在する。【０１１４】  本明細書は、２００４年８月５日出願の特願２００４−２２９７３４に基づく。この内容はすべてここに含めておく。
【産業上の利用可能性】
【０１１５】  本発明にかかる情報受信端末および情報配信システムは、地域情報を含むコンテンツの表示のしかたを情報受信端末からの距離によって変えることができ、携帯電話や車載端末などの移動端末等として有用である。
【図１】
2006013844.tif 000002
【図２】
2006013844.tif 000003
【図３】
2006013844.tif 000004
【図４】
2006013844.tif 000005
【図５】
2006013844.tif 000006
【図６】
2006013844.tif 000007
【図７】
2006013844.tif 000008
【図８】
2006013844.tif 000009
【図９】
2006013844.tif 000010
【図１０】
2006013844.tif 000011
【図１１】
2006013844.tif 000012
【手続補正書】
【提出日】平成17年12月16日(2005.12.16)
【手続補正１】
【補正対象書類名】特許請求の範囲
【補正対象項目名】請求の範囲
【補正方法】変更
【補正の内容】
【書類名】請求の範囲
【請求項１】（補正後）現在位置情報を検出する位置情報検出部と、検出した前記現在位置情報と位置情報を含む属性情報が付与されたコンテンツの前記位置情報に基づき前記現在位置情報に対応する前記コンテンツを検索するコンテンツ検索部と、検索した前記コンテンツの位置情報と前記現在位置情報との距離に基づき前記検索したコンテンツの出力方法の制御を行う出力制御部と、を備え、
前記出力制御部は、前記計算した距離の更新に応じて前記コンテンツの出力方法もしくは出力の有無を制御する情報受信端末。
【請求項２】前記出力制御部は、前記計算した距離が小さい前記コンテンツほど出力する情報を多くする請求項１記載の情報受信端末。
【請求項３】前記出力制御部は、前記計算した距離が所定の値毎に前記コンテンツの出力方法を変える請求項１記載の情報受信端末。
【請求項４】前記属性情報は出力優先度情報を含み、
前記コンテンツ検索部が前記出力優先度情報に基づき前記コンテンツを検索する請求項１に記載の情報受信端末。
【請求項５】前記属性情報は、出力優先度情報を含み、
前記出力制御部が前記出力優先度情報に基づき前記コンテンツの出力方法の制御を行う請求項１に記載の情報受信端末。
【請求項６】前記コンテンツ検索部は、優先度を持つ検索キーを複数持ち、前記優先度の高い検索キーの順に所定の検索結果数になるまで前記コンテンツの検索を行う請求項１に記載の情報受信端末。
【請求項７】前記属性情報は、放送局を区別するための放送局ＩＤを含み、
前記出力制御部が前記放送局を区別する情報に基づき前記コンテンツの出力方法の制御を行う請求項１に記載の情報受信端末。
【請求項８】前記出力方法の制御は、表示方法の制御である請求項１記載の情報受信端末。
【請求項９】移動速度を検出する速度情報検出部を具備し、
前記コンテンツ検出部は、前記位置情報検出部が検出した前記現在位置情報、前記速度情報検出部が検出した前記移動速度、および前記コンテンツの前記位置情報に基づき前記現在位置情報に対応する前記コンテンツを検索し、
前記出力制御部は、検索した前記コンテンツの位置情報から前記現在位置情報までの到着予想時間に基づき前記検索したコンテンツの出力方法の制御を行う請求項１記載の情報受信端末。
【請求項１０】前記出力制御部は、前記計算した到着予想時間が小さい前記コンテンツほど出力する情報を多くする請求項９記載の情報受信端末。
【請求項１１】前記出力制御部は、前記計算した到着予想時間が所定の値毎に前記コンテンツの出力方法を変える請求項９記載の情報受信端末。
【請求項１２】コンテンツのアドレスおよび位置情報を含む属性情報からなるコンテンツ情報を蓄積管理するコンテンツ情報管理部と、現在位置情報を検出する位置情報検出部と、検出した前記現在位置情報と前記コンテンツの前記位置情報に基づき前記コンテンツ情報を検索するコンテンツ情報検索部と、検索した前記コンテンツ情報に含まれる位置情報と前記現在位置情報との距離に基づき前記検索したコンテンツ情報に関連する前記コンテンツを受信するコンテンツ受信制御部と、前記計算した距離に基づき前記検索したコンテンツ情報もしくは前記コンテンツ情報に関連するコンテンツの少なくとも一方の出力方法の制御を行う出力制御部と、を備えることを特徴とする情報受信端末。
【請求項１３】コンテンツを蓄積するコンテンツ蓄積部と、前記コンテンツに付与する位置情報を含む属性情報を管理する属性情報管理部と、前記属性情報を前記コンテンツに付与して送信するコンテンツ送信部と、から構成される情報送信サーバと、請求項１記載の情報受信端末とを具備し、
前記情報受信端末が前記情報送信サーバから送信された前記属性情報が付与された前記コンテンツを受信する情報配信システム。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
現在位置情報を検出する位置情報検出部と、検出した前記現在位置情報と位置情報を含む属性情報が付与されたコンテンツの前記位置情報に基づき前記現在位置情報に対応する前記コンテンツを検索するコンテンツ検索部と、検索した前記コンテンツの位置情報と前記現在位置情報との距離に基づき前記検索したコンテンツの出力方法の制御を行う出力制御部と、を備え、
前記出力制御部は、前記計算した距離の更新に応じて前記コンテンツの出力方法もしくは出力の有無を制御する情報受信端末。
【請求項２】
前記出力制御部は、前記計算した距離が小さい前記コンテンツほど出力する情報を多くする請求項１記載の情報受信端末。
【請求項３】
前記出力制御部は、前記計算した距離が所定の値毎に前記コンテンツの出力方法を変える請求項１記載の情報受信端末。
【請求項４】
前記属性情報は出力優先度情報を含み、
前記コンテンツ検索部が前記出力優先度情報に基づき前記コンテンツを検索する請求項１に記載の情報受信端末。
【請求項５】
前記属性情報は、出力優先度情報を含み、
前記出力制御部が前記出力優先度情報に基づき前記コンテンツの出力方法の制御を行う請求項１に記載の情報受信端末。
【請求項６】
前記コンテンツ検索部は、優先度を持つ検索キーを複数持ち、前記優先度の高い検索キーの順に所定の検索結果数になるまで前記コンテンツの検索を行う請求項１に記載の情報受信端末。
【請求項７】
前記属性情報は、放送局を区別するための放送局ＩＤを含み、
前記出力制御部が前記放送局を区別する情報に基づき前記コンテンツの出力方法の制御を行う請求項１に記載の情報受信端末。
【請求項８】
前記出力方法の制御は、表示方法の制御である請求項１記載の情報受信端末。
【請求項９】
移動速度を検出する速度情報検出部を具備し、
前記コンテンツ検出部は、前記位置情報検出部が検出した前記現在位置情報、前記速度情報検出部が検出した前記移動速度、および前記コンテンツの前記位置情報に基づき前記現在位置情報に対応する前記コンテンツを検索し、
前記出力制御部は、検索した前記コンテンツの位置情報から前記現在位置情報までの到着予想時間に基づき前記検索したコンテンツの出力方法の制御を行う請求項１記載の情報受信端末。
【請求項１０】
前記出力制御部は、前記計算した到着予想時間が小さい前記コンテンツほど出力する情報を多くする請求項９記載の情報受信端末。
【請求項１１】
前記出力制御部は、前記計算した到着予想時間が所定の値毎に前記コンテンツの出力方法を変える請求項９記載の情報受信端末。
【請求項１２】
コンテンツのアドレスおよび位置情報を含む属性情報からなるコンテンツ情報を蓄積管理するコンテンツ情報管理部と、現在位置情報を検出する位置情報検出部と、検出した前記現在位置情報と前記コンテンツの前記位置情報に基づき前記コンテンツ情報を検索するコンテンツ情報検索部と、検索した前記コンテンツ情報に含まれる位置情報と前記現在位置情報との距離に基づき前記検索したコンテンツ情報に関連する前記コンテンツを受信するコンテンツ受信制御部と、前記計算した距離に基づき前記検索したコンテンツ情報もしくは前記コンテンツ情報に関連するコンテンツの少なくとも一方の出力方法の制御を行う出力制御部と、を備えることを特徴とする情報受信端末。
【請求項１３】
コンテンツを蓄積するコンテンツ蓄積部と、前記コンテンツに付与する位置情報を含む属性情報を管理する属性情報管理部と、前記属性情報を前記コンテンツに付与して送信するコンテンツ送信部と、から構成される情報送信サーバと、請求項１記載の情報受信端末とを具備し、
前記情報受信端末が前記情報送信サーバから送信された前記属性情報が付与された前記コンテンツを受信する情報配信システム。
【手続補正２】
【補正対象書類名】明細書
【補正対象項目名】全文
【補正方法】変更
【補正の内容】
【発明の詳細な説明】
【技術分野】
【０００１】
本発明は情報を受信する情報受信端末および情報配信システムに関するものである。
【背景技術】
【０００２】
従来の情報配信システムとしては、移動端末に対して地域に密着した情報を提供することを目的として、地域情報に関連付けられた位置と、移動端末の現在位置との距離に応じて異なる情報を配信するものがあった（例えば、特許文献１参照）。
【０００３】
この従来技術は、情報送信サーバに発信範囲が異なる地域情報を複数登録する。そして、情報送信サーバは、移動端末の位置情報を受信した場合に、移動端末の位置情報と地域情報に関連付けられた位置情報との距離を計算する。次に、情報送信サーバは、端末距離に応じた地域情報を移動端末に対して送信する。言い換えると、情報送信サーバが、移動端末の位置に対応する地域情報を送信する。
【特許文献１】特開２００１−２３８２６６号公報
【発明の開示】
【発明が解決しようとする課題】
【０００４】
しかしながら、従来の構成は、地域情報をランダムに表示するだけなので、地域情報の位置関係が分からない。すなわち、どの地域情報が最も現在位置に近いのかがわからないという課題がある。
【０００５】
本発明の目的は、現在位置と地域情報との距離関係が明確になるようにすることにより、地域情報を利用者が選択しやすいようにすることを可能とした情報受信端末および情報配信システムを提供することである。
【課題を解決するための手段】
【０００６】
本発明は、コンテンツに付与された位置情報と情報受信端末内で検出した現在位置との距離を計算し、計算した距離に基づいてコンテンツの出力方法の制御を行うようにした。
【発明の効果】
【０００７】
本発明によれば、コンテンツの出力方法をコンテンツと情報受信端末との位置関係によって変えることができる。これにより、現在位置とコンテンツとの距離関係が明確になるように表示できるので、コンテンツを利用者が選択しやすいようにできる。
【発明を実施するための最良の形態】
【０００８】
以下、本発明の実施の形態について、図面を参照しながら説明する。
【０００９】
（実施の形態１）
本発明の実施の形態１における情報配信システムの構成について図１を用いて説明する。図１は、本発明の実施の形態１における情報配信システムの構成図である。
【００１０】
図１において、情報送信サーバ１００は情報受信端末１１０に対してコンテンツを放送する。利用者１３０は、情報受信端末１１０が受信したコンテンツを視聴する。
【００１１】
情報送信サーバ１００が使用する放送手段としては、主に地上波放送や衛星放送、無線ＬＡＮや携帯電話などの電波を用いることが考えられるが、赤外線など他の放送媒体を用いてもよい。また、放送手段は、無線に限定されず、インターネットやケーブルテレビを含む有線による放送手段を用いてもよい。また、放送範囲は、地上波放送のように半径数十キロメートル以上の広範囲でもよいし、図２に示すように、半径数十メートルから数キロメートルでもよい。
【００１２】
図２で示す放送の形態の具体例としては、ミニＦＭ局や携帯電話の基地局などが挙げられる。図２の例では、半径数十メートルから数キロメートルの放送範囲３０１の中にある情報受信端末３０２に対して、コンテンツを放送する複数の放送局３０３〜３０５が存在する。
【００１３】
また、情報送信サーバ１００と情報受信端末１１０とが同一の端末内に存在し、コンテンツの送受信を伴わずに同一端末内で処理する場合もあり得る。
【００１４】
次に、情報送信サーバ１００の構成について説明する。情報送信サーバ１００は、コンテンツを保持するコンテンツデータベース１０３を有する。また、情報送信サーバ１００には、コンテンツデータベース１０３に保持されたコンテンツに対し、対応する属性を付与する属性付与部１０２が設けられている。属性付与部１０２は、属性を付与したコンテンツをコンテンツ送信部１０１に送り、コンテンツ送信部１０１が情報受信端末１１０に送信する。
【００１５】
属性付与部１０２が付与する属性としては、位置情報、カテゴリ、有効期間、優先度、放送局ＩＤ、到着予想時間等がある。
【００１６】
位置情報は、地理的位置情報であり、例として緯度、経度の値がある。コンテンツが商店の広告情報や観光地の観光案内情報などである場合、位置情報は商店や観光地の位置を示す。
【００１７】
カテゴリは、コンテンツの種類を示し、「広告」「観光案内」といったコンテンツの分類のほか、「レストラン」「食料品」など広告主の商店の種類、あるいは商店の名称、観光地の名称などがあり得る。あるいは、カテゴリは、そのコンテンツを見せたい利用者の分類である年齢や性別、職業などであってもよい。
【００１８】
有効期間は、そのコンテンツを表示すべき日時を示し、有効期間の開始日時または時刻、終了日時または時刻を記載すればよい。
【００１９】
優先度は、コンテンツを表示する際の優先度であり、送信側である情報送信サーバ１００にとってのコンテンツの重要度を表すことができる。表現としては「高」「中」「低」で表現してもよいし、あるいは例として５を高優先度、１を低優先度として数値で表現してもよい。例えば、広告を優先的に表示させ、観光案内は重要度を下げてもよいし、広告間でも商店の種類によって異なった重要度を付与することもできる。
【００２０】
放送局ＩＤは、送信する放送局や表示する放送局を区別できる識別子で、それを確認することによりコンテンツがどの放送局から送信されているか（現在位置がどの放送局の放送エリアか）、またそのコンテンツをどの放送局の放送エリアで表示すべきかが確認できる。
【００２１】
また、到着予想時間は、情報受信端末１１０が位置情報の位置までに到着するまでの時間を示す。到着予想時間により、どのコンテンツを表示するか選択するようになっている。
【００２２】
以上の属性は、コンテンツに付帯されたデータとして送信される。また送信する放送局のＩＤは、送信する周波数によって区別してもよい。
【００２３】
次に、属性をＸＭＬで記述した例について、図３を用いて説明する。ＸＭＬは、ｅＸｔｅｎｓｉｂｌｅ  Ｍａｒｋｕｐ  Ｌａｎｇｕａｇｅの略であり、その詳細はウェブページｈｔｔｐ：／／ｗｗｗ．ｗ３．ｏｒｇを参照されたい。また、図３における各行の左端の数字は説明のための行番号である。
【００２４】
行４０１はこの記述がＸＭＬで記述されていることを示す。行４０２＜Ｃｏｎｔｅｎｔ＞から行４１６＜／Ｃｏｎｔｅｎｔ＞で囲まれた行がコンテンツの属性を示す。行４０３＜Ｔｉｔｌｅ＞はコンテンツのタイトルであり花屋の広告であることを示している。行４０４＜Ａｂｓｔｒａｃｔ＞はコンテンツの要約を示す。行４０５＜Ｌｏｃａｔｉｏｎ＞は地理的位置を示し、広告主である花屋の位置を示す。行４０６＜Ｓｔａｔｉｏｎ＞はそのコンテンツが放送される放送局名を、行４０７＜Ｃｈａｎｎｅｌ＞はそのコンテンツが放送されるチャンネルを示す。放送局名「Ｓｔａｔｉｏｎ  ５」は図２の放送局Ｓｔａｔｉｏｎ５（３０５）を示すものとする。
【００２５】
行４０８＜Ｓｔａｒｔ＞、行４０９＜Ｅｎｄ＞は放送開始時刻および放送終了時刻を表す。
【００２６】
なお、既知の放送局およびチャンネルで何らかのコンテンツを受信している場合はすでに放送局やチャンネル、放送時間帯がわかっているので、行４０６から行４０９まではなくてもよい。
【００２７】
行４１０＜Ｖａｌｉｄ＿Ｓｔａｔｉｏｎ＞はそのコンテンツが有効となる放送局名を示す。放送局名「Ｓｔａｔｉｏｎ３」は図２の放送局Ｓｔａｔｉｏｎ３（３０３）を示すものとする。
【００２８】
行４１１＜Ｖａｌｉｄ＿Ｓｔａｒｔ＞、行４１２＜Ｖａｌｉｄ＿Ｅｎｄ＞はそのコンテンツを表示できる有効期間の開始時刻および終了時刻を表す。放送時間帯にすでに有効期間が始まっている場合、行４１１はなくてもよい。
【００２９】
行４１３＜Ｃａｔｅｇｏｒｙ＞はそのコンテンツのカテゴリを示し、行４１４＜Ｐｒｉｏｒｉｔｙ＞は重要度が高いことを示す。
【００３０】
行４１５＜Ａｒｒｉｖａｌ  ｕｎｉｔ＝”ｍｉｎｕｔｅ”＞は、到着予想時間を示し、ここに記載されている時間に到着が予想される場合は、このコンテンツを選択することを示している。図３の例では、０−３分の間に到着が予想される場合は、図３に示すコンテンツが選択されることを示す。
【００３１】
次に、情報受信端末１１０の構成について、図１を用いて説明する。
【００３２】
情報受信端末１１０には、情報送信サーバ１００からコンテンツおよびその属性情報を受信し、受信コンテンツ管理部１１２に記録するコンテンツ受信部１１１が設けられている。受信コンテンツ管理部１１２は、コンテンツおよびその属性情報を記録、管理する手段である。
【００３３】
また、情報受信端末１１０には、情報受信端末１１０の現在位置を検出する位置情報検出部１１７が設けられている。位置情報検出部１１７の現在位置の検出方法としては、ＧＰＳ（Ｇｌｏｂａｌ  Ｐｏｓｉｔｉｏｎｉｎｇ  Ｓｙｓｔｅｍ）が考えられる。また、位置情報検出部１１７は、携帯電話やＰＨＳ（Ｐｅｒｓｏｎａｌ  Ｈａｎｄｙｐｈｏｎｅ  Ｓｙｓｔｅｍ）などの基地局から位置を表すＩＤ情報を受信して位置情報としてもよい。そして、位置情報検出部１１７は、検出した位置情報を検出情報管理部１１５に送り、検出情報管理部１１５が管理する。
【００３４】
また、情報受信端末１１０には、現在時刻を検出する時刻情報検出部１１６が設けられている。時刻情報検出部１１６は、検出した時刻情報を検出情報管理部１１５に送り、検出情報管理部１１５が時刻情報を管理する。
【００３５】
また、情報受信端末１１０には、情報受信端末１１０の移動速度を検出する速度情報検出部１２１が設けられている。速度情報検出部１１６は、検出した移動速度を検出情報管理部１１５に送り、検出情報管理部１１５が移動速度を管理する。速度情報検出部１１６は、速度メータなどの汎用の速度検出手段である。
【００３６】
また、検出情報管理部１１５は、検出した現在位置情報や現在時刻の履歴情報も用いることにより、情報受信端末１１０の移動情報を検出するようにしても良い。例えば、以前の位置情報と現在の位置情報との差を計算することによって移動距離や移動方向を検出することができる。
【００３７】
また、速度情報検出部１１６は、検出情報管理部１１５が検出した現在位置情報と現在時刻の履歴情報を用いることにより、移動距離とそれにかかった時間（時刻情報の差）を計算することによって移動速度を検出してもよい。
【００３８】
また、情報受信端末１１０には、情報受信端末１１０の利用者１３０の趣味などを登録する登録情報管理部１１４が設けられている。
【００３９】
また、情報受信端末１１０には、受信コンテンツ管理部１１２が管理するコンテンツから表示するコンテンツを検索するコンテンツ検索部１１３が設けられている。コンテンツ検索部１１３は、表示コンテンツの対象として、広告や観光案内など位置に関連するコンテンツのうち、情報受信端末１１０の現在位置に近いものを検索して表示する。また、コンテンツ検索部１１３は、登録情報管理部１１４に登録されている利用者１３０の趣味などの情報をコンテンツの検索条件として用いてもよい。
【００４０】
また、情報受信端末１１０には、コンテンツの距離やコンテンツの存在方向を含む属性情報を用いて、コンテンツ表示の仕方を制御する出力制御部１１８が設けられている。出力制御部１１８は、表示方法を制御した結果である表示画面を出力部１１９に出力し、出力部１１９がこれを出力する。
【００４１】
出力制御部１１８の、コンテンツの表示方法の例としては、次のものが考えられる。
（１）コンテンツの全体
（２）コンテンツの一部
（３）コンテンツの要約
（４）コンテンツのタイトル
（５）表示の順番
（６）一覧表示か１つずつ順次表示
このように、出力制御部１１８は、距離の近いコンテンツほど多くの情報を表示する。出力制御部１１８の、コンテンツ表示の例を図４に示す。図４は情報受信端末１１０の表示画面の例を示したものである。
【００４２】
図４に示す表示画面４０の上部には、情報受信端末１１０周辺の地図４００が配置されている。地図４００中の黒丸４０１は情報受信端末の現在位置を、地点１（４０５）、地点２（４０６）、地点Ａ（４０７）、地点Ｂ（４０８）は商店や施設の位置を示す。
【００４３】
表示画面４０の下部には、各地点４０５〜４０８に対する広告４０２〜４０４が、情報受信端末４０１との距離が短い順に表示されている。
【００４４】
これにより、利用者１３０は、表示順からコンテンツ（広告）との位置関係を認識できる。
【００４５】
地点１（４０５）および地点２（４０６）は、情報受信端末４０１に近いため、それぞれの広告４０２、４０３には、名前と要約が表示されている。一方、地点Ａ（４０７）および地点Ｂ（４０８）は、情報受信端末４０１から離れているため、それぞれの広告４０４には名前のみが表示されている。
【００４６】
また、広告４０２〜４０４は、情報受信端末４０１から近い順に一覧表示されている。また、図５に示すよう表示画面５００のように、情報受信端末４０１に近い地点１（４０５）の広告５０１として、対応するコンテンツ全体を表示するようにしても良い。表示画面５００の場合、情報受信端末４０１から二番目に遠い地点２（４０６）に関する広告４０３）については、図４に示す表示画面４００と同様に名前および要約を表示する。なお、情報受信端末４０１から二番目に遠い地点２（４０６）に関する広告（４０３）については、対応するコンテンツの一部（静止画、ダイジェスト映像など）のみを表示する用にしても良い。
【００４７】
このように、出力制御部１１８は、情報受信端末４０１との距離が近いコンテンツほどより多くの情報を表示するような、広告の表示方法の制御を行う。これにより、利用者１３０は、広告の表示方法に基づいてコンテンツとの位置関係を把握できる。また、利用者１３０は、周辺のコンテンツ、つまり必要性の高いコンテンツに対してはより多くの情報を得ることができる。
【００４８】
また、出力制御部１１８は、コンテンツの順番だけでなく、予め決めておいた距離に応じてコンテンツの表示方法を変えても良い。例えば、情報受信端末４０１との距離が５００ｍ以内のコンテンツはコンテンツ全体を表示するようにし、５００ｍから１ｋｍ以内のコンテンツに対してはコンテンツの一部、１ｋｍ〜３ｋｍの範囲のコンテンツに対しては名前と要約、３ｋｍ〜５ｋｍの範囲のコンテンツに対しては名前だけというふうに表示方法を変えても良い。
【００４９】
出力部１１９は、モニタなどの表示装置である。なお、出力部１１９は、表示以外の出力、例えば音声などを出力しても良い。
【００５０】
また、情報受信端末１１０には、操作入力部１２０が設けられている。操作入力部１２０は、出力部１１９の表示を見た利用者１３０が、所望のコンテンツを選択したり、表示方法の変更をしたりするという操作に関する情報を入力する部分である。
【００５１】
次に、情報受信端末１１０のコンテンツ表示処理について、図６を用いて詳細に説明する。図６は、実施の形態１にかかる情報受信端末１１０のコンテンツ表示処理のフローチャートである。
【００５２】
まず、情報受信端末１１０は、コンテンツ受信部１１１において、情報送信サーバ１００から送られてきたコンテンツを受信する（ＳＴ６０１）。
【００５３】
次に、情報受信端末１１０は、コンテンツ検索部１１３において、ＳＴ６０１において受信したコンテンツから、現在位置に対応するコンテンツを検索する（ＳＴ６０２）。なお、ＳＴ６０２の処理の詳細については後述する。
【００５４】
次に、情報受信端末１１０は、出力制御部１１８において、ＳＴ６０２において検索したコンテンツに対し、その距離に応じた表示方法を選択し、選択した表示方法に制御したコンテンツを出力部１１９に出力する（ＳＴ６０３）。そして、出力部１１９が送られてきたコンテンツを表示する（ＳＴ６０４）。なお、ＳＴ６０３の処理の詳細については後述する。
【００５５】
次に、コンテンツ検索部１１３のコンテンツ検索処理（ＳＴ６０２）の処理について、図７を用いて詳細に説明する。
【００５６】
まず、コンテンツ検索部１１３は、受信コンテンツ管理部１１２で管理されているコンテンツに対して、付与されている属性情報の位置情報と検出情報管理部１１５が管理する現在位置情報とから距離を計算する（ＳＴ７０１）。
【００５７】
そして、ＳＴ７０１において計算した距離が所定の距離より値が小さければ、コンテンツ検索部１１３は、近い距離のコンテンツであると判定し（ＳＴ７０２）、表示コンテンツの候補とする（ＳＴ７０３）。また、コンテンツ検索部１１３は、ＳＴ７０１において計算した距離が所定の距離以上であれば、そのコンテンツを表示コンテンツの候補から外す。
【００５８】
そして、コンテンツ検索部１１３は、受信コンテンツ管理部１１２で管理されている全てのコンテンツに対して、ＳＴ７０１〜ＳＴ７０３の処理を行い（ＳＴ７０４）、表示コンテンツの候補を決定する。
【００５９】
所定の距離は、常に一定の値であってもよいし、情報受信端末１１０の移動速度に応じて変化してもよい。移動速度が小さいときに所定の距離を小さく、移動速度が大きいときに所定の距離を大きく設定することにより、移動速度に応じた範囲のコンテンツを選択することができる。
【００６０】
また、コンテンツ検索部１１３は、距離の代わりに到着予想時間によってコンテンツを検索してもよい。その場合、コンテンツ検索部１１３は、受信コンテンツ管理部１１２で管理されているコンテンツに対して、コンテンツに付与されている属性情報の位置情報と、検出情報管理部１１５が管理する現在位置情報及び速度情報から、現在位置からコンテンツに関連付けられた位置までの到着予想時間を計算する。そして、コンテンツ検索部１１３は、計算した時間に対応する到着予定時間（図３の４１５行）が付与されているコンテンツを表示コンテンツの候補とする。また、コンテンツ検索部１１３は、到着予想時間を以下の式で計算する。
【００６１】
（到着予想時間）＝（現在位置からコンテンツに関連付けられた位置までの距離）÷（速度情報）
次に、コンテンツ検索部１１３は、ＳＴ７０４において検索した表示コンテンツの候補数が所定の数より多いか判断し（ＳＴ７０５）、多ければ候補のコンテンツ全てに対して（ＳＴ７０６）、他の検索条件を用いて件数の絞り込みを行う（ＳＴ７０７）。
【００６２】
一方、ＳＴ７０５において、コンテンツ検索部１１３は、表示コンテンツの候補数が所定の数より少ない場合はコンテンツ検索処理を終了する。
【００６３】
なお、コンテンツを検索する検索条件の他の例としては、コンテンツの存在方向、コンテンツの有効期間、優先度、カテゴリなどが考えられる。
【００６４】
コンテンツの存在方向は、前の位置から現在位置へのベクトルを移動ベクトルとし、現在位置からコンテンツまでのベクトルをコンテンツベクトルとすると、
ｃｏｓθ＝（移動ベクトルとコンテンツベクトルとの内積）／（（移動ベクトルの大きさ）×（コンテンツベクトルの大きさ））
で移動方向とコンテンツの存在方向との角度θが得られる。
【００６５】
これにより、コンテンツが移動方向に対してどちらに存在するかが計算できる。すなわち、コンテンツが、情報受信端末１１０の移動に対して前方にあるか後方にあるかがわかるので、前方にある（近づきつつある）コンテンツを選択することが可能となる。
【００６６】
コンテンツの有効期間は、現在時刻が有効期間内にあるコンテンツを選択してもよいし、有効期間に入る以前のコンテンツをも含めて選択してもよい。これにより、これから有効になるコンテンツも予告的に表示することが可能となる。
【００６７】
優先度によりコンテンツを選択することにより、送信側が重要と考えるコンテンツを優先的に選択することができる。
【００６８】
カテゴリについては、例えば情報受信端末１１０の利用者１３０の趣味などを登録情報管理部１１４に登録しておき、検索条件として用いてもよい。これにより、花の好きな利用者にとっては花に関する情報（例えば花屋の情報）を選択することができる。また、検出情報管理部１１５の検索条件を、例えば時刻情報に置き換えてもよい。例えば現在時刻が午後０時半だった場合、昼食の時間帯なのでカテゴリとして「レストラン」を生成し、検索に用いることによって、レストラン情報を昼食時に選択することができる。
【００６９】
また、ＳＴ７０６における検索処理は、所定の検索数になるまで検索キーを順番に用いてもよいし、最初から複数の検索キーを用いて検索してもよい。前述の説明では始めに距離で検索を行ったが、始めに別の検索キーを用いてもよい。コンテンツに対して計算した距離やコンテンツ存在方向はあとの処理で使用するためコンテンツに属性として追加する。
【００７０】
また、コンテンツ検索部１１３は、優先度を持つ検索キーを複数持ち、優先度の高い検索キーを順に用いて所定の検索結果数になるまでコンテンツの検索を行う用にしても良い。これによれば、優先度の高い検索キーで検索される属性を持つコンテンツを優先的に選択して表示するコンテンツの数を限定することができる。
【００７１】
このように、コンテンツ検索部１１３は、位置情報検出部１１７が検出し検出情報管理部１１５が管理する位置情報とコンテンツに付与された属性情報に基づき登録情報管理部１１４が蓄積管理するコンテンツから表示するコンテンツを検索する。
【００７２】
次に、出力制御部１１８のコンテンツ表示制御（ＳＴ６０３）の処理について、図８を用いて詳細に説明する。
【００７３】
まず、出力制御部１１８は、図６のコンテンツ検索処理（ＳＴ６０２）において、検索した表示するコンテンツを、表示するコンテンツに付与されている属性情報の位置情報と検出情報管理部１１５が管理する現在位置情報との距離の短い順にソートする（ＳＴ８０１）。
【００７４】
なお、ＳＴ８０１において、出力制御部１１８は、距離の長い順に、表示するコンテンツをソートしても良い。
【００７５】
また、ＳＴ８０１において、出力制御部１１８は、単純に距離だけでなく、移動方向、移動速度、距離との関係を用いて表示するコンテンツをソートしてもよい。例えば、出力制御部１１８は、移動方向前方のコンテンツについては多少距離が離れていても近いと判断したり、移動方向後方のコンテンツに対しては距離が近くても遠いと判断したりする。これにより、移動方向に即した距離感の判定が可能になる。つまり、近づいている位置に対応するコンテンツは近く、遠ざかる位置に対応するコンテンツは遠くと判断できる。
【００７６】
また、ＳＴ８０１において、出力制御部１１８は、到着予想時間順にコンテンツをソートしても良い。このように、実際の距離ではなく、到着予想時間順にコンテンツをソートすることにより、そのときの移動速度で移動することによって実際に有効になると思われる順にコンテンツを並べることができる。
【００７７】
次に、出力制御部１１８は、ＳＴ８０１においてソートした距離の一番短いコンテンツに付与されている属性情報の位置情報と検出情報管理部１１５が管理する現在位置情報との距離が所定の距離以下であるか判断する。そして、出力制御部１１８は、この距離が所定の距離以下である場合は、対応するコンテンツを周辺のコンテンツと判断する（ＳＴ８０２）。
【００７８】
次に、出力制御部１１８は、周辺のコンテンツに対しては、周辺のコンテンツ用の表示方法を選択し（ＳＴ８０３）、距離が離れている（周辺でない）コンテンツに対しては距離が離れているコンテンツ用の表示方法を選択する（ＳＴ８０４）。
【００７９】
例えば、周辺のコンテンツに対して、コンテンツ全体を表示し、距離の離れているコンテンツはコンテンツの名前、要約などコンテンツの一部を表示するように制御する。
【００８０】
これにより、出力制御部１１８は、距離の近いコンテンツほどより多くの情報を表示するような、広告の表示方法の制御を行うことができる。この結果、利用者１３０は、広告の表示方法に基づいてコンテンツとの位置関係を把握できる。また、利用者１３０は、周辺のコンテンツ、つまり必要性の高いコンテンツに対してはより多くの情報を得ることができる。
【００８１】
また、図８のフローでは、コンテンツを周辺のコンテンツと距離が離れているコンテンツというように２段階に分けて表示する制御を行うが、予め決めておいた距離に応じてコンテンツの表示方法を２段階以上に変えるようにしても良い。例えば、出力制御部１１８は、距離が５００ｍ以内のコンテンツはコンテンツ全体を表示するようにし、５００ｍから１ｋｍ以内のコンテンツに対してはコンテンツの一部、１ｋｍ〜３ｋｍの範囲のコンテンツに対しては名前と要約、３ｋｍ〜５ｋｍの範囲のコンテンツに対しては名前だけというふうに表示方法を変えても良い。これにより、利用者１３０は、コンテンツとの距離をより細かく認識することができる。
【００８２】
なお、コンテンツに付与された位置情報と現在位置との距離に応じてコンテンツの表示方法を制御するのではなく、コンテンツに付与された位置への到着予想時刻に応じて表示方法を制御するようにしても良い。すなわち、近くのコンテンツほど多くの情報を表示するのではなく、到着予想時間が短いコンテンツほど多くの情報を表示するようにしてもよい。これにより、実際に有効となると思われるコンテンツほど多くの情報が表示される。この結果、利用者は、そのときの移動速度で移動することによってすぐに有効になると思われるコンテンツの情報をより多く得ることができる。
【００８３】
次に、出力制御部１１８は、ＳＴ８０３もしくはＳＴ８０４において選択した表示方法を用いた表示画面を生成し、出力部１１９に出力する（ＳＴ８０５）。
【００８４】
そして、出力制御部１１８は、ＳＴ８０１においてソートした表示コンテンツの距離の短い方から長い方へ順に全ての表示コンテンツに対してＳＴ８０２〜ＳＴ８０５の処理を行い（ＳＴ８０６）、処理を終了する。
【００８５】
このように、出力制御部１１８が、表示するコンテンツを情報受信端末１１０との距離の短い順に並べて出力することにより、利用者１３０に表示コンテンツとの位置関係を視覚的に認識させることができる。
【００８６】
また、出力制御部１１８が、表示するコンテンツを情報受信端末１１０との距離に応じて異なる表示をするように制御することにより、利用者１３０は表示方法からも表示コンテンツとの距離を把握できる。また、距離の近い表示コンテンツほど表示する情報量を多くすることにより、利用者１３０に必要性の高いコンテンツの情報をより多く提示することができる。
【００８７】
以上説明したように、実施の形態１によれば、コンテンツの提示のしかたをコンテンツと情報受信端末との位置関係によって変えることができる。これにより、現在位置とコンテンツとの距離関係が明確になるように表示できるので、コンテンツを利用者が選択しやすいようにできる。また、情報受信端末１１０側において、コンテンツの出力の仕方を切り替えるので、放送コンテンツを受信する場合であっても、コンテンツの出力を切り替えられる。
【００８８】
なお、利用者１３０が、出力部１１９の出力画面でコンテンツのタイトルや要約を見てコンテンツを選択し、コンテンツ全体を視聴できるようにしても良い。
【００８９】
また、実施の形態１では、コンテンツとの距離に応じて表示方法を変える形態で説明したが、コンテンツとの距離に応じて出力する音声などを変えても良い。
【００９０】
また、実施の形態１では、情報受信端末１１０からの距離が所定の距離より近いか否かに応じてコンテンツの表示の切り替えをする形態で説明したが、情報受信端末１１０からの距離の近い順に所定数ずつコンテンツの表示方法を変える形態であっても良い。この場合は、出力部１１９の表示情報量に応じて所定数を変えることが好ましい。
【００９１】
また、送信者が優先度をコンテンツに付与し、情報受信端末１１０が高い優先度が付与されたコンテンツの表示順や表示量を変更するようにしても良い。これにより、優先度の高いコンテンツを優先的に表示することができる。
【００９２】
また、出力制御部１１８は、放送局を区別するための放送局ＩＤに基づきコンテンツの出力方法の制御を行うようにしても良い。これにより、表示対象とする放送エリアではないエリアで受信したコンテンツを、表示対象とするエリアに移動した際に直ちに表示することが可能となる。
【００９３】
また、コンテンツを表示する場合に、２画面にしてもよい。例えば、車のフロント側の表示画面とリア側の表示画面の２画面に分割しても良い。この場合は、リア側の表示画面には、現在位置に非常に近いものは表示しないようにする。これにより、リア側の表示画面で近接したコンテンツを見た人が、近接したコンテンツを見たいと運転手に要望をし、運転手が急激にハンドルを操作するなどの危険な行為をすることを防止できる。
【００９４】
（実施の形態２）
次に、本発明の実施の形態２にかかる情報配信システムについて説明する。図９は、実施の形態２にかかる情報配信システムの構成図である。なお、図９において、図１と同じ構成要素については同じ符号を用い、説明を省略する。
【００９５】
実施の形態２にかかる情報配信システムが実施の形態１にかかる情報配信システムと異なるのは、実施の形態１では情報送信サーバ１００が属性情報を付帯するコンテンツを放送で配信するのに対し、実施の形態２では情報送信サーバ２００がコンテンツの属性情報のみを放送し、属性情報に基づきコンテンツの実体を別途通信により受信する点である。
【００９６】
以下、具体的に実施の形態２にかかる情報配信システムについて説明する。
【００９７】
情報送信サーバ２００は、コンテンツデータベース１０３が管理するコンテンツに対して属性付与部１０２において属性を付与してコンテンツ情報を生成する。次に、コンテンツ情報管理部２０２は、属性付与部１０２が生成したコンテンツ情報を管理する。そして、コンテンツ情報送信部２０１は、コンテンツ情報管理部２０２が管理するコンテンツ情報を放送し、情報受信端末２１０がそれを受信する。
【００９８】
情報受信端末２１０は、情報送信サーバ２００から送信されるコンテンツ情報をコンテンツ情報受信部２１１で受信し、コンテンツ情報管理部２１２で蓄積管理する。ここで、情報受信端末２１０が受信し蓄積管理するコンテンツ情報には、コンテンツの実体は含まれない。
【００９９】
次に、コンテンツ検索部１１３が、コンテンツ情報管理部２１２が管理するコンテンツ情報を実施の形態１で説明したのと同様の方法で検索する。
【０１００】
次に、出力制御部１１８は、検索結果に応じて、実施の形態１と同様に、タイトル、要約などの出力制御を行い、出力部１１９に出力する。
【０１０１】
しかし、コンテンツ検索部１１３の検索結果は、コンテンツ情報のみであり、コンテンツの実体は含まない。よって、コンテンツの実体の全てまたは一部を表示するコンテンツについては、コンテンツ選択部２１３が表示すべきコンテンツを選択し、コンテンツ情報の記述に基づきコンテンツ受信部１１１で受信して出力制御部１１８で出力制御を行う。
【０１０２】
また、コンテンツ受信部１１１は指定された放送局、チャンネル、放送時刻に基づき放送を受信してもよいし、指定されたサーバおよびファイル名に基づき通信で取得してもよい。
【０１０３】
放送コンテンツに関するコンテンツ情報の例としては図３が挙げられる。情報受信端末２１０が、距離の条件によりコンテンツの実体を表示する場合は、コンテンツ受信部１１１は、行４０６＜Ｓｔａｔｉｏｎ＞に記載される放送局、行４０７＜Ｃｈａｎｎｅｌ＞に記載される放送チャンネル、行４０８＜Ｓｔａｒｔ＞に記載される放送開始時刻、行４０９＜Ｅｎｄ＞に記載される放送終了時刻に基づきコンテンツを受信すればよい。
【０１０４】
また、通信コンテンツに関するコンテンツ情報の例としては図１０が挙げられる。図１０に示す通信コンテンツが図４に示す放送コンテンツと異なるのは行４０６〜４０９の代わりに行６０６が記載されている点である。
【０１０５】
情報受信端末２１０が、距離の条件によりコンテンツの実体を表示する場合は、コンテンツ受信部１１１は、行６０６＜ＵＲＬ＞に記載されたアドレスに基づきコンテンツ送信要求をサーバに送信し、コンテンツを取得する。コンテンツを取得するためのプロトコルとして代表的なものにＦＴＰ、ＨＴＴＰが挙げられる。
【０１０６】
以上説明したように、実施の形態２によれば、情報受信端末２１０がコンテンツまでの距離を含むコンテンツの属性情報に基づいて表示するコンテンツ情報を選択でき、選択したコンテンツ情報の実体であるコンテンツを別途取得して、取得したコンテンツを距離に応じた表示方法で表示することができる。
【０１０７】
また、実施の形態２によれば、情報送信サーバ２００がコンテンツの属性情報のみを放送し、属性情報に基づきコンテンツの実体を別途通信により受信することができる。これにより、情報受信端末２１０は距離に応じて表示に必要なコンテンツのみを通信により受信でき、放送の伝送帯域を節約することができる。
【０１０８】
なお、利用者１３０に出力部１１９の出力を参照させて内容を参照するコンテンツを選択させ、選択されたコンテンツの属性情報をコンテンツ選択部２１３で抽出してコンテンツ受信部１１１でコンテンツを受信し、出力するようにしても良い。
【０１０９】
また、実施の形態２では、情報送信サーバ２００がコンテンツ情報送信部２０１とコンテンツ送信部１０１の双方を有した形態で説明したが、図１１に示すように、コンテンツ情報送信部２０１とコンテンツ送信部１０１とを別の送信サーバが有する形態であっても良い。
【０１１０】
図１１の例では、コンテンツ情報送信サーバ７００は、コンテンツ情報を蓄積するコンテンツ情報データベース７０３からコンテンツ情報を属性付与部１０２、コンテンツ情報管理部２０２、コンテンツ情報送信部２０１を介して情報受信端末２１０に送信する。
【０１１１】
また、情報送信サーバ７１０は、コンテンツの実体のみを蓄積するコンテンツデータベース１０３からコンテンツを、コンテンツ送信部１０１を介して情報受信端末２１０に送信する。なお、図１１の例では、複数の情報送信サーバ７１０、７１１が存在する。
【０１１２】
本明細書は、２００４年８月５日出願の特願２００４−２２９７３４に基づく。この内容はすべてここに含めておく。
【産業上の利用可能性】
【０１１３】
本発明にかかる情報受信端末および情報配信システムは、地域情報を含むコンテンツの表示のしかたを情報受信端末からの距離によって変えることができ、携帯電話や車載端末などの移動端末等として有用である。
【図面の簡単な説明】
【０１１４】
【図１】本発明の実施の形態１における情報配信システムの構成図
【図２】実施の形態１にかかる放送の形態を説明する図
【図３】実施の形態１におけるコンテンツの属性情報の例を示す図
【図４】実施の形態１にかかるコンテンツの表示の例を示す第１の図
【図５】実施の形態１にかかるコンテンツの表示の例を示す第２の図
【図６】実施の形態１にかかる情報受信端末のコンテンツ表示処理のフローチャート
【図７】実施の形態１にかかるコンテンツ検索部のコンテンツ検索処理のフローチャート
【図８】実施の形態１にかかる出力制御部のコンテンツ表示制御のフローチャート
【図９】実施の形態２にかかる情報配信システムの構成図
【図１０】実施の形態２にかかる通信コンテンツに関するコンテンツ情報の例を示す図
【図１１】本発明の実施の形態２における情報配信システムの別の構成を示す図
【手続補正３】
【補正対象書類名】図面
【補正対象項目名】全図
【補正方法】変更
【補正の内容】
【図１】
2006013844.tif 000013
【図２】
2006013844.tif 000014
【図３】
2006013844.tif 000015
【図４】
2006013844.tif 000016
【図５】
2006013844.tif 000017
【図６】
2006013844.tif 000018
【図７】
2006013844.tif 000019
【図８】
2006013844.tif 000020
【図９】
2006013844.tif 000021
【図１０】
2006013844.tif 000022
【図１１】
2006013844.tif 000023
【国際調査報告】
2006013844.tif 000024
2006013844.tif 000025
2006013844.tif 000026
2006013844.tif 000027